(57)【要約】【課題】ケースの薄型化が容易なカードアダプタの提供。【解決手段】上ケース部材２と下ケース部材４が結合されてなり、上ケース部材２と下ケース部材４の間にカードを装着するカード装着部５が形成されたケース１を備える。下ケース部材４は、カード装着部５の両側部を形成する両側壁部１０，１１を含む枠体９と、この枠体９に固定され、カード装着部５の底面を形成する底板部１４を含む金属製の底板部材１３とを備える。つまり、底板部１４を金属製して、下ケース部材４の底板部１４を薄くしても十分な強度を確保できるようにした。【選択図】図２
2006252188.tif 000002
【特許請求の範囲】
【請求項１】
カードを装着するカード装着部が形成されたケースを備えたカードアダプタであって、
前記カード装着部が樹脂製の枠体と、この枠体に固定され底面を形成する金属製の底板部材とからなることを特徴とするカードアダプタ。
【請求項２】
前記底板部材と前記枠体が、インサート成形により一体化されることを特徴とする請求項１記載のカードアダプタ。
【請求項３】
前記底板部材の側縁部を折り曲げ加工により立ち上げて前記枠体に埋設する埋設部を形成しその埋設部に複数の開口部を設けたことを特徴とする請求項２記載のカードアダプタ。
【請求項４】
前記ケースの端面に、前記カード装着部への前記カードの挿入口が設けられ、この挿入口の上縁部が前記枠体の両側壁部間に架渡される金属製の架渡し部により形成されることを特徴とする請求項１記載のカードアダプタ。
【請求項５】
前記架渡し部が、リブを有することを特徴とする請求項４記載のカードアダプタ。
【請求項６】
前記架渡し部と前記枠体が、インサート成形により一体化されることを特徴とする請求項４記載のカードアダプタ。
【請求項７】
前記枠体に埋設される前記架渡し部の埋設部が、折り曲げ加工により垂下されてなることを特徴とする請求項６記載のカードアダプタ。
【請求項８】
前記架渡し部と前記底板部材が、一体に成形されることを特徴とする請求項４記載のカードアダプタ。
【発明の詳細な説明】
【技術分野】
【０００１】
本発明は、所定のカードが装着されるカードコネクタに、所定のカードよりも小型のカードを装着する際に用いられ、小型のカードを装着した状態でカードコネクタに装着されるカードアダプタに関する。
【背景技術】
【０００２】
従来のカードアダプタとしては、例えば特許文献１に示す従来技術がある。この従来技術は、上ケース部材と下ケース部材が結合されてなり、上ケース部材と下ケース部材の間にカードを装着するカード装着部が形成されたケースを備えている。下ケース部材は、カード装着部の左右側部を形成する両側壁部と、底板部とを有している。
【０００３】
この種のカードアダプタでは、下ケース部材が樹脂を成形して作製される。
【特許文献１】特開２０００−４０１３１公報
【発明の開示】
【発明が解決しようとする課題】
【０００４】
カードの薄型化に伴い、カードアダプタの薄型化が要求されている。この要求に応えるには、下ケース部材の底板部の板厚を薄くすることによって、ケースを薄型化することが考えられる。しかし、前述した従来のカードアダプタでは、下ケース部材が樹脂製であり、底板部の板厚を薄くすると十分な強度を確保できないという問題が発生するので、ケースの薄型化が困難であった。
【０００５】
本発明は、前述の実状を考慮してなされたものであり、その目的は、ケースの薄型化が容易なカードアダプタを提供することにある。
【課題を解決するための手段】
【０００６】
〔１〕  本発明は、前述の目的を達成するために、カードを装着するカード装着部が形成されたケースを備えたカードアダプタであって、前記カード装着部が樹脂製の枠体と、この枠体に固定され底面を形成する金属製の底板部材とからなることを特徴とする。
【０００７】
このように構成した本発明では、底板部材は金属製であり、十分な強度を確保しつつ、板厚を薄くすることが可能である。つまり、金属製の底板部材の板厚を薄くすることによって、ケースの薄型化を容易に行うことができる。
【０００８】
〔２〕  本発明は、〔１〕記載の発明において、前記底板部材と前記枠体が、インサート成形により一体化されることを特徴とする。
【０００９】
このように構成した本発明は、枠体に対する底板部材の固定と、枠体の成形とを同時に行うことができる。
【００１０】
〔３〕  本発明は、〔２〕記載の発明において、前記底板部材の側縁部を折り曲げ加工により立ち上げて前記枠体に埋設する埋設部を形成しその埋設部に複数の開口部を設けたことを特徴とする。
【００１１】
このように構成した本発明では、底板部材の埋設部が立ち上がっているので、底板部材の埋設部を枠体に確実に埋設することができる。また、複数の開口部により、埋設部を枠体に強固に固定することができる。
【００１２】
〔４〕  本発明は、〔１〕記載の発明において、前記ケースの端面に、前記カード装着部への前記カードの挿入口が設けられ、この挿入口の上縁部が前記枠体の両側壁部間に架渡される金属製の架渡し部により形成されることを特徴とする。
【００１３】
このように構成した本発明は、挿入中のカードがこじられたときの力を、金属製の架渡し部で受けることができる。これにより、カード挿入時のケースの破損を防ぐことができるとともに、カードを円滑に挿入することができる。
【００１４】
〔５〕  本発明は、〔４〕記載の発明において、前記架渡し部が、リブを有することを特徴とする。
【００１５】
このように構成した本発明は、架渡し部の強度を向上させることができる。
【００１６】
〔６〕  本発明は、〔４〕記載の発明において、前記架渡し部と前記枠体が、インサート成形により一体化されることを特徴とする。
【００１７】
このように構成した本発明は、枠体に対する架渡し部の固定と、枠体の成形とを、同時に行うことができる。
【００１８】
〔７〕  本発明は、〔６〕記載の発明において、前記枠体に埋設される前記架渡し部の埋設部が、折り曲げ加工により垂下されてなることを特徴とする。
【００１９】
このように構成した本発明では、架渡し部の埋設部が垂下しているので、確実に枠体に埋設することができる。
【００２０】
〔８〕  本発明は、〔４〕記載の発明において、前記架渡し部と前記底板部材が、一体に成形されることを特徴とする。
【００２１】
このように構成した本発明では、金属製の架渡し部を設けても部品点数の増加させずに済む。
【発明の効果】
【００２２】
本発明では、底板部材の板厚を薄くすることによって、ケースの薄型化を容易に行うことができる。これにより、カードアダプタの薄型化に貢献できる。
【発明を実施するための最良の形態】
【００２３】
本発明のカードアダプタの一実施形態について図を用いて説明する。図１は、本実施形態を斜め上方から見た状態を示す斜視図、図２は、図１に示す実施形態を斜め下方から見た状態を示す斜視図、図３は、図１に示す実施形態に備えられる下ケース部材を斜め上方から見た状態を示す斜視図、図４は、図３に示す下ケース部材を斜め下方から見た状態を示す斜視図、図５は、図１に示す実施形態に備えられる底板部材を斜め上方から見た状態を示す斜視図、図６は、図５に示す底板部材を斜め下方から見た状態を示す斜視図、図７は、下ケース部材の枠体に底板部材の埋設部が埋設された状態を示す斜視図、図８は、図３のVIII−VIII断面図である。
【００２４】
本実施形態は、図１，２に示すように、上ケース部材２と下ケース部材４が結合されてなり、上ケース部材２と下ケース部材４との間にカード（図示しない）を装着するカード装着部５（図３参照）が形成されたケース１を備えている。上ケース部材２のカード装着部５を覆う部分は、金属板からなり、それ以外の部分は樹脂を成形してなる。下ケース部材４の前部には、複数の長孔７を設けてある。各長孔７からは、カードコネクタの端子に接触させる複数の端子８のそれぞれを露出させてある。
【００２５】
図３，４に示すように、下ケース部材４は、カード装着部５の左右両側部を形成する両側壁部１０，１１を含む樹脂製の枠体９と、この枠体９に固定され、カード装着部５の底面を形成する底板部１４を含む金属製の底板部材１３とを備えている。底板部材１３と枠体９は、インサート成形により一体化してある。
【００２６】
枠体９の前部には、インサート形成により前記複数の端子８と一体化された板状部材（図示しない）を、各長孔７から各端子８が露出するように嵌合するための、底部１２ａを有する枠部１２を設けてある。各端子８の各長孔７側とは反対側の部分は、図示しないが、カード装着部５内へ延び、カード装着部５に装着されたカードに接触するように配置される。
【００２７】
図５，６，７に示すように、底板部材１３の両側部のそれぞれには、側壁部１０，１１のそれぞれに埋設される側部埋設部１５，１６を、折り曲げ加工により立ち上げてある。底板部材１３の前端部には、枠体９の端子取付枠部１２の底部１２ａに埋設される前部埋設部１７を、折り曲げ加工により立ち上げてある。また、底板部材１３における前部埋設部１３の両側のそれぞれには、底板部材１３の上面を露出した状態で底部１２ａに埋め込まれる舌状部１８，１９を、折り曲げ加工により設けてある。また、側部埋設部１５，１６のそれぞれには、複数の開口部、例えば小孔１５ａ，１６ａのそれぞれを設けてあり、前部埋設部１７には、複数の開口部、例えば切欠き１７ａを設けてある。
【００２８】
図１，２に戻り、ケース１の後端部１ａには、カード装着部５へのカードの挿入口６を設けてある。この挿入口６の両側縁部のそれぞれは、枠体９の側壁部１０，１１のそれぞれにより形成してある。挿入口６の上縁部は、両側壁部１０，１１間に架渡される架渡し部２０により形成してある。挿入口６の下縁部は、底板部１４により形成してある。
【００２９】
また、図５，６に示すように、架渡し部２０と底板部材１３は、底面部材１３と一体に成形してある。また、図７に示すように、架渡し部２０の両側部のそれぞれには、枠体９の側壁部１０，１１のそれぞれに埋設される一対の埋設脚部１５，１６を、折り曲げ加工により設けてある。埋設脚部１５には、２つの切欠き２１ａを設けてあり、埋設脚部１６には、２つの切欠き２２ａを設けてある。また、図８に示すように、架渡し部２０には、下方に突出するリブ２３を設けてある。
【００３０】
このように構成した本実施形態によれば次の効果を得られる。
【００３１】
本実施形態では、樹脂製の枠体９に金属製の底板部材１３を固定して、カード装着部５の底面を形成する底板部１４を設けることによって、すなわち、底板部１４を金属にすることによって、板厚を薄くしても十分な強度を確保できるようにした。これにより、ケース１の薄型化を容易に行うことができる。したがって、カードアダプタの薄型化に貢献できる。
【００３２】
また、本実施形態では、底板部材１３と枠体９をインサート成形により一体化した。つまり、枠体９に対する底板部材１３の固定と、枠体９の成形とを同時に行うことができる。
【００３３】
また、本実施形態では、底板部材１３の両側部のそれぞれに、側壁部１０，１１のそれぞれに埋設される側部埋設部１５，１６を立ち上げてあり、底板部材１３の前端部に、枠体９の端子取付枠部１２の底部１２ａに埋設される前部埋設部１７を立ち上げてある。これにより、側部埋設部１５，１６および前部埋設部１７を確実に枠体９に埋設することができる。
【００３４】
また、本実施形態では、底板部材１３における前部埋設部１３の両側のそれぞれに、底板部材１３の上面を露出した状態で底部１２ａに埋め込まれる舌状部１８，１９を設けてあり、側部埋設部１５，１６のそれぞれに、複数の小孔１５ａ，１６ａのそれぞれを設けてあり、前部埋設部１７に、複数の切欠き１７ａを設けてある。これらにより、底板部材１３を枠体９に強固に固定することができる。
【００３５】
また、本実施形態では、挿入口６の上縁部を、両側壁部１０，１１間に架渡される金属製の架渡し部２０により形成した。これにより、挿入中のカードがこじられたときの力を、金属製の架渡し部２０で受けることができる。したがって、カード挿入時のケース１の破損を防ぐことができるとともに、カードを円滑に挿入することができる。
【００３６】
また、本実施形態では、架渡し部２０にリブ２３を設けたので、架渡し部２０の強度を向上させることができる。
【００３７】
また、本実施形態では、架渡し部２０に一対の埋設脚部２１，２２を設け、これらの埋設脚部２１，２２のそれぞれに切欠き２１ａ，２２ａを設けてある。これにより、側壁部１０，１１に対して架渡し部２０を強固に固定することができる。
【００３８】
また、本実施形態では、架渡し部２０と底板部材１３とを一体に成形してあるので、金属製の架渡し部２０を設けても部品点数の増加させずに済む。
【００３９】
なお、本実施形態では、架渡し部２０と底板部材１３を一体に成形した例であるが、本発明はこれに限るものではなく、架渡し部２０と底板部材１３を別体にしてもよい。
【図面の簡単な説明】
【００４０】
【図１】本発明のカードアダプタの一実施形態を斜め上方から見た状態を示す斜視図である。
【図２】図１に示す実施形態を斜め下方から見た状態を示す斜視図である。
【図３】図１に示す実施形態に備えられる下ケース部材を斜め上方から見た状態を示す斜視図である。
【図４】図３に示す下ケース部材を斜め下方から見た状態を示す斜視図である。
【図５】図１に示す実施形態に備えられる底板部材を斜め上方から見た状態を示す斜視図である。
【図６】図５に示す底板部材を斜め下方から見た状態を示す斜視図である。
【図７】下ケース部材の枠体に底板部材の埋設部が埋設された状態を示す斜視図である。
【図８】図３のVIII−VIII断面図である。
【符号の説明】
【００４１】
１        ケース
１ａ      後端部
２        上ケース部材
３        金属カバー
４        下ケース部材
５        カード装着部
６        挿入口
７        長孔
８        端子
９        枠体
１０      側壁部
１１      側壁部
１２      枠部
１２ａ    底部
１３      底板部材
１４      底板部
１５      側部埋設部
１５ａ    小孔
１６      側部埋設部
１６ａ    小孔
１７      前部埋設部
１７ａ    切欠き
１８      舌状部
１９      舌状部
２０      架渡し部
２１      埋設部
２１ａ    切欠き
２２      埋設部
２２ａ    切欠き
２３      リブ
【図１】
2006252188.tif 000003
【図２】
2006252188.tif 000004
【図３】
2006252188.tif 000005
【図４】
2006252188.tif 000006
【図５】
2006252188.tif 000007
【図６】
2006252188.tif 000008
【図７】
2006252188.tif 000009
【図８】
2006252188.tif 000010